(57)【特許請求の範囲】
【請求項１】
同軸ケーブルの端部に装着する同軸ケーブルコネクタにおいて，
一方を前記同軸ケーブルの編組導体と接続し，他方を接続対象の外部導体と摺動係合するよう形成した筒状のコネクタ本体と，
当該コネクタ本体の外周に軸方向に移動可能であって且つ円周方向に回動可能に一方を枢着されたシェルとからなり，
前記シェルの他方側先端部の内周面には雌ねじを形成し，
前記コネクタ本体の他方側は，端部の外周径が前記シェルの内周径よりも大きくなるように端部に向かってテーパー状に形成し，前記端部近傍にはすり割りを形成し，当該端部近傍の内周面には突起を形成すると共に，当該端部近傍の外周面には前記雌ねじに螺合可能な雄ねじを形成することにより，
前記シェルの雌ねじと当該コネクタ本体の雄ねじとを螺合することによって生じる軸中心方向の押圧力によって，前記コネクタ本体の他方側の周径を可変可能としたことを特徴とする同軸ケーブルコネクタ。
【請求項２】
前記シェルの外形形状は，当該シェルの他方側から一方側に向かって少なくとも一部若しくは全てが六角形であることを特徴とする請求項１に記載の同軸ケーブルコネクタ。
【発明の詳細な説明】
【技術分野】
【０００１】
本発明は，同軸ケーブルコネクタに関し，詳しくはコネクタ座に対する接続作業が容易で且つ同軸ケーブルを引っ張っても引き抜け難い同軸ケーブルコネクタの構造に関する。
【背景技術】
【０００２】
従来，同軸ケーブルの端部に装着する同軸ケーブルコネクタとしては，同軸ケーブルの編組導体と接続されるケーブル連結部と，当該ケーブル連結部の基端部に軸方向に移動可能に且つ円周方向に回転可能に枢着したリング状係合部と，前記ケーブル連結部と前記係合部との間の弾性緩衝作用を行う弾性部材とを有し，前記係合部には端面近傍の内方に突設させた係止片を備え，当該係止片をコネクタ座のねじ面に設けた導入部，誘導部及び係止部の一連からなる溝に係合させて接続する構成となっていたので，この同軸ケーブルコネクタは前記リング状係合部を回転操作するだけでコネクタ座に接続でき，しかも強固に取り付けできた。また，前記ケーブル連結部と係合部との間に設けた弾性部材による弾性緩衝作用によって円滑に脱着操作が行える構成となっていた。
（例えば，特許文献１参照）
【０００３】
【特許文献１】特許３０３４５３４号公報
【発明の開示】
【発明が解決しようとする課題】
【０００４】
しかし，従来の同軸ケーブルコネクタによると，リング状係合部の端面の内方に係止片を設けたことにより，この同軸ケーブルコネクタは，取り付けられるコネクタ座に係止用の溝が必要であり，専用のコネクタ座でないと取り付けができないことになり，汎用性の点で問題があった。
また，接続の操作性の向上と，接続後の取り付け強度向上のために備えられた弾性部材は，止リングによって保持された皿ばねや，コネクタ座の先端面に当接する菊型ばねと言った，複数の構成部品から構成されているので，構造が複雑になると共に，延いては製品のコストアップになるといった問題があった。
そこで本願においては，こうした問題点を解決するためになされたものであり，
その目的は，接続作業の容易な同軸ケーブルコネクタを提供することにある。
他の目的は，コストの安い同軸ケーブルコネクタを提供することにある。
他の目的は，固着力の優れた接続を行うことのできる同軸ケーブルコネクタを提供することにある。
他の目的は，同軸ケーブルを引っ張っても抜け難い同軸ケーブルコネクタを提供することにある。
他の目的は，高周波特性の優れた同軸ケーブルコネクタを提供することにある。
他の目的は，イミュニティーの優れた同軸ケーブルコネクターを提供することにある。
【課題を解決するための手段】
【０００５】
かかる目的を達成するためになされた請求項１に記載の発明は，
同軸ケーブルの端部に装着する同軸ケーブルコネクタにおいて，
一方を前記同軸ケーブルの編組導体と接続し，他方を接続対象の外部導体と摺動係合するよう形成した筒状のコネクタ本体と，
当該コネクタ本体の外周に軸方向に移動可能であって且つ円周方向に回動可能に一方を枢着されたシェルとからなり，
前記シェルの他方側先端部の内周面には雌ねじを形成し，
前記コネクタ本体の他方側は，端部の外周径が前記シェルの内周径よりも大きくなるように端部に向かってテーパー状に形成し，前記端部近傍にはすり割りを形成し，当該端部近傍の内周面には突起を形成すると共に，当該端部近傍の外周面には前記雌ねじに螺合可能な雄ねじを形成することにより，
前記シェルの雌ねじと当該コネクタ本体の雄ねじとを螺合することによって生じる軸中心方向の押圧力によって，前記コネクタ本体の他方側の周径を可変可能としたことを特徴とする。
【０００７】
また，請求項２に記載の発明は，請求項１に記載の同軸ケーブルコネクタにおいて，前記シェルの外形形状は，当該シェルの他方側から一方側に向かって少なくとも一部若しくは全てが六角形であることを特徴とする。
【発明の効果】
【０００８】
請求項１に記載の同軸ケーブルコネクタによれば，シェルの雌ねじとコネクタ本体の雄ねじとを螺合することにより，コネクタ本体の他方側の周径を可変できることから，接続対象であるコネクタ座に容易に接続でき，且つ同軸ケーブルを引っ張って引き抜け難い同軸ケーブルコネクタを提供できる。また，シェルを緩めれば取り外しも容易にできることから，誰でも簡単に使え，しかも信頼性の高い同軸ケーブルコネクタを提供できる。
また，コネクタ本体の雄ねじとシェルの雌ねじとを螺合させることによって，この螺合部分がコネクタ座の基部に対して軸中心方向に締付ける構成となっているため，一層固着力が優れたもとなり，イミュニティー等の高周波特性に対して，特性の良い同軸ケーブルコネクタを提供することができる。
【０００９】
また，コネクタ本体の他端側の内周面には突起が形成されているので，当該突起とコネクタ座との嵌合によって，固着力のより強固で高周波特性の優れた接続が可能になる同軸ケーブルコネクタを提供できる。
【００１０】
請求項２に記載の同軸ケーブルコネクタによれば，シェルの外形形状が，シェルの他方側から一方側に向かって少なくとも一部若しくは全てが六角形であるように構成したので，指先でもって簡単且つ強固に取付けができるばかりでなく，簡単な工具を使ってシェルを締付けることで更に強固に取り付けができる。このため，高い信頼を必要とする場所にも使用可能となり，汎用性の高い同軸ケーブルコネクタを提供できる。
【発明を実施するための最良の形態】
【００１１】
以下に，本発明を具体化した実施形態の例を，図面を基に詳細に説明する。
図１は本発明に係る同軸ケーブルコネクタの実施形態の１例を示した分解状態の部分断面図である。図２（ａ）は図１に示す同軸ケーブルコネクタの側面の部分断面図である。（ｂ）はシェルを締付けた時の側面の部分断面図である。図３（ａ）は図１に示すコネクタ本体を同軸ケーブルへ装着した状態の一部断面にした側面図であり，（ｂ），（ｃ）は電子機器への取り付け手順を示す図である。図４は同軸ケーブルコネクタの他の実施例を示す。図５（ａ），（ｂ）はシェルの異なる形状を示す例である。図６（ａ），（ｂ），（ｃ）は挿入部に凹凸手段を備えた実施例を示す。
【実施例１】
【００１２】
図１において，２はシェル，３は固着リング，２０はアルミラミネート箔６を被覆した同軸ケーブル，３０はコネクタ本体である。
本発明に係る同軸ケーブルコネクタは，一方を同軸ケーブルの端部に接続すると共に，他方をコネクタ接続対象に摺動係止させるコネクタ本体３０と，当該コネクタ本体３０の軸線方向に移動可能で，且つ，円周方向に回動可能に一方を枢着させたシェル２と，固着リング３とからなる。
前記コネクタ本体３０は導電性材料で形成されており，同軸ケーブル２０に挿入する挿入部１１の先端に，テーパー状等挿入し易い形状に加工された隆起部４２を全周に備えた挿入先端部１１ａが形成され，その挿入部１１は同軸ケーブル２０のアルミラミネート箔６と編組導体７との間に挿入され，同軸ケーブル２０への挿入完了後，固着リング３で圧着が行われる。
【００１３】
また，前記挿入部１１の後端には，同軸ケーブル２０の保護被覆８を挿入止着する挿入止着部１２ａを備えた止着リング１２が圧入固着されていると共に，コネクタ本体３０の中間部周りには，シェル２がはめ込まれる取付溝１１ｂが形成されている。
更に，コネクタ本体の他方側には，コネクタ接続対象であるコネクタ座との接続を行う接合部１３が形成されている。この接合部１３の端部１３ａの外周径は，前記シェル２の内周径と等しいか若しくはやや大きくなるように端部１３ａに向かってテーパー状に形成されていると共に，該接合部１３の開口端からすり割り１３ｂが複数個形成されており，前記コネクタ座に対して接合部が摺動係合できるように構成されている。
更に前記端部１３ａの近傍の外周面には雄ねじ１３ｃが形成されている。
【００１４】
シェル２はコネクタ本体３０と同様に導電材料で形成された筒状の外部導体であり，その筒状導体の一方開口端を全周に亘って内側方向へ折り込んだ絞部２ａと，前記コネクタ本体３０の取付溝１１ｂとを，互いにかみ合った状態で接触導通させながら中心軸を一致させて枢着されていると共に，前記取付溝１１ｂの溝幅内で軸方向の移動可能に取り付けられており，前記コネクタ本体３０を遊嵌させるように構成されている。また，他方開口端部の内周面には雌ねじ２ｂが形成されている。
図２（ａ），（ｂ）はコネクタ本体３０にシェル２を枢着させた組み立て状態を示す。
この実施例ではシェル２はコネクタ本体３０の取付溝１１ｂの溝幅内で軸方向に移動可能であり，前記雌ねじ２ｂと雄ねじ１３ｃを螺合させた時に，シェル２の他方開口端がコネクタ本体３０の端部１３ａと略同じ位置になるか，やや内側方向になるように前記取付溝１１ｂが構成されているが，特にこの実施例に限定されるものではない。
【００１５】
固着リング３は，同軸ケーブル２０とコネクタ本体３０を装着するための金属材料で形成された圧着部材である。
尚，本願の実施例では同軸ケーブル２０は，内部絶縁体の外周面へアルミラミネート箔６を覆設して，外部導体である編組導体７と合わせてシールド効果をより高めたラミネート型同軸ケーブルである。
【００１６】
図３（ａ）は，図１のコネクタを同軸ケーブル２０へ装着した状態の一部を断面にした側面図であり，以下に本発明に係るコネクタと同軸ケーブル２０の装着の手順を説明する。
先ず，固着リング３に同軸ケーブル２０を挿通し，コネクタ本体３０の挿入先端部１１ａを，コネクタ本体３０にあわせた所定長さで段剥きした同軸ケーブル２０の端部から，アルミラミネート箔６と編組導体７の間に差し込み，挿入操作する。この時，同軸ケーブル２０がコネクタ本体１１に備えた止着リング１２の挿入止着部１２ａに当接するまで挿入する。
【００１７】
本願の実施例においては，同軸ケーブル２０を所定の長さに段剥きする際に，内部絶縁体５の端部が，コネクタ本体３０に形成した挿通孔１１ｃの，接合部側開口端１１ｄより出ない位置であって，略等しい位置に挿入されるように加工する取付方法をするのであるが，本願の実施例に限定されるものではなく，例えば，前記挿通孔１１ｃの接合部側開口端１１ｄ部分に，該挿通孔１１ｃの周径より小さく形成すると共に，同軸ケーブル２０の中心導体４から所定間隔を保ちながら，該中心導体４を挿通させる充分な空間を有し，その中心軸を挿通孔１１ｃと同一軸線とする芯線孔を備えさせることで，挿通孔１１ｃに挿入した内部絶縁体５の端部が，前記芯線孔の周縁に当接するように構成しておけば，内部絶縁体５が接合部１３方向に突出することのない同軸ケーブルコネクタが提供できる。
また，コネクタの中心導体は，本実施例では同軸ケーブル２０の芯線４を使用している。尚，中心導体として，別体に成形されたコネクタピンを同軸ケーブルの芯線４に被せるようにしてもよい。
【００１８】
このように，コネクタ本体３０を同軸ケーブル２０に挿入したのなら，予め同軸ケーブル２０に挿通した固着リング３を，挿入部１１で保護被覆８の外側から圧着し，編組導体７とコネクタ本体３０を保護被覆８の弾性を利用して接触させ，装着を終了させる。
【００１９】
この時，本願の実施例によれば，挿入部１１の挿入先端部１１ａの全周には隆起部４２が備えられており，当該隆起部４２周りの周径が，固着リング３を圧着する挿入部１１付近の筒径よりも大きくなるため，同軸ケーブル２０がコネクタ本体３０から抜けることがないようになっている。
また，本願の別の実施例として，少なくともコネクタ本体３０の挿入部１１の外周面には凹凸手段１０を形成し，この凹凸手段１０と編組導体７とが相互に噛み合うように密着することで，一層確実に抜脱しにくいばかりでなく，同軸ケーブルの回転方向の動きに対する機械的接合をより強固にすることができる。
更に上述のように固着性が向上したので，長期に亘る使用においても，その固着性が良く保たれ，固定部からノイズの侵入や放出が発生するといった問題を防止できるのである。
【００２０】
このように組み付けられた同軸ケーブルコネクタの取付方法及びその作用について図３（ｂ），（ｃ）を用いて説明する。図において５０は電子機器筐体であり，例えばテレビ受信機器であるテレビ受信用増幅装置や分配器等である。５１は入・出力用のコネクタ座である。
先ず本願の同軸ケーブルコネクタの接合部１３を，接続対象であるコネクタ座５１に摺動係止する。次にシェル２をコネクタ座５１の基部方向に向かって押付けながら，シェル２の他方側先端部の内周面に形成した雌ねじ２ｂと，コネクタ本体３０の他方側先端部の外周面に形成された雄ねじ１３ｃとを螺合させる。この時，接合部１３にはすり割り１３ｂが形成されていると共に，接合部１３の端部１３ａの外周径が，シェル２の内周径と同じか若しくはやや大きくなるように形成されているので，この螺合によって接合部１３には軸中心方向の押圧力が生じ，前記コネクタ本体３０の他端側の周径を可変させることとなり，同軸ケーブルコネクタはコネクタ座５１に確実に固着されるのである。
特に本願の同軸ケーブルコネクタでは，コネクタ本体３０の接合部１３の他端部と，シェル２の他端側を螺合させ，この螺合部分，即ちコネクタ本体の他端側先端部でもって，コネクタ座５１の基部を軸中心に向かって締付ける構成となっているため，取り付け強度が一層優れているばかりでなく，接合部１３の内周面とコネクタ座５１の外部導体との接触面積を最大限に広く取ることができる構成と成っていることから，高周波特性ばかりでなく，ディジタル放送にも適したイミュニティー特性の優れた同軸ケーブルコネクタを提供することができるのである。
加えて図４に示すようにコネクタ本体３０の他端側（接合部１３）の内周面に突起１３ｄを形成し，コネクタ座５１のねじ山と嵌合するように構成すれば，更に固着力及び電気的特性の優れた同軸ケーブルコネクタが提供できる。
【００２１】
このように本願の同軸ケーブルコネクタは，工具を使用せずともシェル２とコネクタ本体３０とを螺合することによって，コネクタ座５１に簡単に且つ引き抜け難いように固着できる構成となっている。したがって，前記シェル２はリング状であっても良いが，図５（ａ），（ｂ）に示すようにシェル２の雌ねじ２ｂとコネクタ本体３０の雄ねじ１３ｃとを螺合させるための回転操作がしやすいように，シェル２の表面にローレット掛けをしても良い。また指先による固定だけでなく簡単な工具でもって一層強固に固着できるように，六角形状に形成しても良い。また，ローレット掛けと六角形状とを組み合わせてもよいことは言うまでもない。
【００２２】
更に前述した凹凸手段１０の実施例として，図６（ａ）に示す如く挿入部１１にローレット掛けを施した例を示したが，この実施例に限定されるものではなく，図６（ｂ），（ｃ）に示す如く，コネクタ本体３０の挿入部１１の外周面に，軸線方向に複数本の溝を設ける方法でもよい。また，隆起部４２の外周にも凹凸手段を設けても良いことは言うまでもない。
また，本願の同軸ケーブルコネクタを接続するのに使用した同軸ケーブルは，その内部絶縁体５の外周面へアルミラミネート箔６を覆設したアルミラミネート型同軸ケーブルの例を示したが，アルミラミネート箔がない同軸ケーブルに対しても，コネクタ本体がその同軸ケーブルの内部絶縁体５と編組導体７との間に挿入されるようにすれば，本願の実施例と同様の効果を得られることは言うまでもないなど，本発明の趣旨を逸脱しない範囲で各部の構成を適宜に変更して実施することも可能である。
【図面の簡単な説明】
【００２３】
【図１】本発明に係る同軸ケーブルコネクタの実施形態の１例を示した分解状態の部分断面図である。
【図２】（ａ）は図１に示す同軸ケーブルコネクタの側面の部分断面図である。（ｂ）はシェルを締付けた時の側面の部分断面図である。
【図３】（ａ）は図１に示すコネクタ本体を同軸ケーブルへ装着した状態の一部断面にした側面図であり，（ｂ），（ｃ）は電子機器への取り付け状態を示す図である。
【図４】（ａ），（ｂ）は同軸ケーブルコネクタの他の実施例を示す。
【図５】（ａ），（ｂ）はシェルの異なる形状を示す例である。
【図６】（ａ），（ｂ），（ｃ）は挿入部に凹凸手段を備えた実施例を示す。
【符号の説明】
【００２４】
２…シェル，２ａ…絞部，２ｂ…雌ねじ，３…固着リング，４…芯線，５…内部絶縁体，６…アルミラミネート箔（ラミネート箔），７…編組導体，８…保護被覆，１０…凹凸手段，１１…挿入部，１１ａ…挿入先端部，１１ｂ…取付溝，１１ｃ…挿通孔，１１ｄ…接合部側開口端，１２…止着リング，１２ａ…挿入止着部，１３…接合部，１３ａ…端面，１３ｂ…すり割り，１３ｃ…雄ねじ，１３ｄ…突起，２０…同軸ケーブル，３０…コネクタ本体，４２…隆起部，５０…電子機器筐体，５１…コネクタ座
【図１】
0004664704.tif 000002
【図２】
0004664704.tif 000003
【図３】
0004664704.tif 000004
【図４】
0004664704.tif 000005
【図５】
0004664704.tif 000006
【図６】
0004664704.tif 000007